Podtech/llm-jp-corpus-v4-ja_patent huggingface dataset:
(57)【要約】      （修正有）【課題】椎茸栽培で原木への種駒や形成菌を植え込む穴を電気ドリルで明ける作業で用いられる穴深さ規制用ストッパーを、キリの食い込みによる反動でドリルが回されたり、電気ドリルへの固定用のネジ部分が破断することのないものとする。【解決手段】まずストッパーの本体形状２を、片よった荷重を受けないよう、回転軸にまたがるフレームの枠形状とすることにより前記ネジ部分の破断を防ぐ。また、ストッパーの先端に、キリ６の切削により前進する力と、押さえる手の力に適度に反発させたバネ３を具備させるとともに、ストッパーの当り面１０を従来の全周面から、突起状としてスパイク効果を持たせることにより、前記ドリル１が回されることを防ぐ。このバネ３は、キリ６がスットッパー２まで前進し空転した後、バネ３の反発力によりキリ６を抜き取る方向へ作用させるので、作業の改善をはかることが出来る。【選択図】図１
2018062165.tif 000002
【特許請求の範囲】
【請求項１】
ドリルの回転軸にまたがって、均等な荷重を受けるフレーム枠形状のストッパー本体の先端にコイルバネを具備し、突起状の穴深さ規制のストッパー当り面を有する、電気ドリルへ脱着可能な穴明け深さ規定ストッパー。
【請求項２】
コイルバネが圧縮されて密着した位置を穴深さ寸法規制のストッパー位置とした請求項１記載のストッパー。
【発明の詳細な説明】
【技術分野】
【０００１】  本発明は、椎茸栽培における原木に種駒や形成菌を植え込む穴を、電気ドリルによって明ける作業に関する。
【背景技術】
【０００２】  この穴明け作業には、専用のハンマーにより手動で行う方法もあるが、一般的には電気ドリルを使用したキリにより穴を明ける方法で行われている。
【発明の概要】
【発明が解決しようとする課題】
【０００３】  椎茸の原木への種駒や形成菌の植え込みに適正な深さの穴明けにはストッパーが必要となるが、従来のストッパーは鋼材の丸棒を曲げ加工で成形した当たり面と取付端を棒ネジとした簡単なもので、電気ドリル本体に固定されていた。【０００４】  明ける穴は、原木の太さにもよるが一本当り３０から４０個所で、栽培場全体では相当な数となる、電気ドリルは、作業のスピードＵＰから回転数の高い専用のものを使用してはいるが、原木への穴明けは回数が多いこと自体がたいへんな作業である。【０００５】  その他にキリが食い込むときの反動回転でドリル本体が回されたり、穴明け回数がかさむと、応力が集中するストッパーを固定する棒ネジの付根部分が破断するなど危険な問題もあった。
【課題を解決するための手段】
【０００６】  本発明は前記の課題を解決するため、まず回転軸から離れた位置に一点支持で片荷重となる位置で固定して支えられている従来からのストッパーを、回転軸にまたがって片荷重とならないで固定できるフレームからなる枠形状とした。【０００７】  ストッパーの先端にバネを具備した。【０００８】  ストッパーの当り面を突起形状とした。
【発明の効果】
【０００９】  ストッパー本体の形状の変更により、加わる力が片荷重でなくなり破断することがなくなる。【００１０】  先端のバネはキリの前進力で圧縮されて行くが、ストップ位置に達してキリが空転すると、反発で抜き取り方向への力が作用し作業が軽快となる。【００１１】  ストッパー先端を突起とすると、キリが食い込む反動によってドリル本体が回されるのを防ぐスパイクの効果となる。
【図面の簡単な説明】
【００１２】
【図１】本発明の概要を示した側面図
【図２】本発明の概要を示した平面図
【図３】従来方式のストッパーの形状を示す図である。
【図４】従来方式のストッパーの取付状態を示す図である。
【図５】本発明のストッパーの側面図
【図６】本発明のストッパーの平面図
【図７】本発明のストッパーの背面図
【発明を実施するための形態】
【００１３】  以下、本発明の実施例を図に基づいて説明する。
【００１４】  まず、図３、図４に示すように従来、電気ドリル１のモーターケース前縁カバーの一部分をフランジ状に延長して設けた穴に、鋼材の丸棒を当り面をループ状に曲げ加工で成形し、取付端を棒ネジとしたストッパー８を通しネジ９で固定する簡単なやり方であった。
【００１５】  本発明の実施例では、電気ドリル１の先端軸受の円形のボス部分に、ストッパー本体２のクランプバンド部分のネジ５で固定されている。
【００１６】  キリ６をクランプするドリルチャック７の回転軸芯にまたがるように、一対のフレームからなる枠形状のストッパー本体の先端側にバネ座４を設け、バネ３を具備する、バネの弾性はキリが原木に切り込んで、自ら進行する力と電気ドリルを手で押しつける力を考慮した反発強度とする。
【００１７】  ストッパーの当り面を、全周面としないで、一対からなる二枚のフレームの先端部分１０は適度な幅で十分な強度を有する突起状の板とした。
【００１８】  キリ６の切刃端と、上記ストッパーの先端部分１０の当り面の距離が適正な穴深さとなり、穴が規定の深さに達しキリが空転するとバネの反発力はキリを引き抜く側に作用することになる。
【００１９】  実施例では、本体２を二枚からなるフレームの枠形状とし、全体を囲わないのは、キリ６のドリルチヤック７へのクランプに支障のないようにするためと、バネ座４の中央部分のキリとの隙間穴とともに、キリの削り屑の排出に支障のないようにするためであるが、フレームの枚数、形状にはこだわらない。
【００２０】  実施例では、既存の電気ドリル１へのストッパー本体の固定は、ドリル回転軸受け部分の円形のボスを利用したバンド形状のクランプ方法としたが、電気ドリル本体に取付用のネジを設けて固定する方法とすれば簡素化できる、脱着出来れば固定方法にはこだわらない。
【符号の説明】
【００２１】１  電気ドリル                  ２  ストッパー本体
３  バネ                        ４  バネ座
５  クランプネジ                ６  キリ
７  ドリルチャック              ８  従来の方式のストッパー
９  従来の方式の取付ネジ      １０  ストッパー先端部分
【図１】
2018062165.tif 000003
【図２】
2018062165.tif 000004
【図３】
2018062165.tif 000005
【図４】
2018062165.tif 000006
【図５】
2018062165.tif 000007
【図６】
2018062165.tif 000008
【図７】
2018062165.tif 000009
(57)【要約】      （修正有）【課題】引出しのスライドの阻止が自動ででき、使用中の引出しから離れても収納物が盗難にあう恐れがない、鍵の自動開閉装置つき物品収納引出しを提供する。【解決手段】使用者が引出し３から離れると、人感センサーの作用によって鍵片１が９０度動いて引出し３のスライドを阻止して鍵がかかり、近づくと鍵片１が元に戻って引出し３が開く状態になる構造として、引出し３の開け閉めが自由にできるようにした。【選択図】図１
2018062839.tif 000002
【特許請求の範囲】
【請求項１】
引出し３に人感センサーによって作動する鍵片１を設け、使用者が引出し３から離れると鍵片１がかかり、近づくと鍵片１が外れるようにした、鍵の自動開閉装置つき物品収納引出し。
【発明の詳細な説明】
【技術分野】
【０００１】この発明は、物をしまっておくための引出し３から、それを使用している人が離れたり近づいたりする時に、自動で鍵の開閉を行う装置を備えた引出しに関するものである。
【背景技術】
【０００２】従来、机の引出しなどは用事があって中座をする際には、その都度、鍵をかけておかないと他人に中を覗かれたり盗難にあう危険があった。
【発明の概要】
【発明が解決しようとする課題】
【０００３】この不安を取除くために本発明は、引出し３から離れる際に、人感センサーの作用で引出し３に鍵をかけ、戻ってきた時はその鍵が外れるようにしたものである。
【課題を解決するための手段】
【０００４】図面１は、人感センサーの作用で作動するように工作された鍵片１が、使用者が引出し３から離れると、人感センサーの作用によって鍵片１が９０度動いて引出し３のスライドを阻止して鍵がかかり、近づくと鍵片１が元に戻って引出し３が開く状態になる構造である。
本発明は、以上の構成よりなる自動で鍵の開け閉めができる収納用引出しである。
【発明の効果】
【０００５】引出し３のスライドの阻止が自動でできるので、使用中の引出し３から離れても収納物が盗難にあう恐れがなくなり、またいつ戻ってきても意識して引出し３のスライドの阻止を解除する必要がないので、ストレスなく引き出し３の使用を続けられるのである。
【図面の簡単な説明】
【０００６】
【図１】使用者が離れると人感センサーの作用によって、鍵片１が９０度作動して引出し３の動きを阻止する状態の斜視図である。
【図２】使用者が戻ってくると、人感センサーが反応して鍵片１が元に戻り、引出し３が開けられる状態の斜視図である。
【符号の説明】
【０００７】１  鍵片
２  机
３  引出し
【図１】
2018062839.tif 000003
【図２】
2018062839.tif 000004
(57)【要約】【課題】  シングルレバー式水栓において、水止め忘れ防止装置を提供する。【解決手段】  シングルレバー式水栓のレバー部に設けられた前記レバー部の傾きを検知する傾きセンサーと、前記レバー部が傾けられることにより前記傾きセンサーがＯＮとなることで通電される発報部と前記傾きセンサーと前記発報部とに電力を供給する電源部とを備えることを特徴とする水止め忘れ防止装置である。【選択図】図１
2018062838.tif 000002
【特許請求の範囲】
【請求項１】
シングルレバー式水栓のレバー部に設けられた前記レバー部の傾きを検知する傾きセンサーと、前記レバー部が傾けられることにより前記傾きセンサーがＯＮとなることで通電される発報部と前記傾きセンサーと前記発報部とに電力を供給する電源部とを備えることを特徴とする水止め忘れ防止装置。
【発明の詳細な説明】
【技術分野】
【０００１】  本発明は、シングルレバー式水栓において水を流している間に音や光により発報させることにより、水の止め忘れを防止する装置に関する。
【背景技術】
【０００２】  自宅にあるシングルレバー式水栓において、水を止め忘れたため、貴重な水を使用せず排水してしまい、もったいない思いをしたことがあった。【０００３】  公共施設や商業施設内の不特定多数が利用する給水栓では、主に光センサーを用いた自動水栓が導入され、水の止め忘れを未然に防止することが可能となっている。【０００４】  一方、一般家庭において、このような自動水栓を設置することは高額となるため積極的に採用しにくい状況となっている。【０００５】  さらに、近年の核家族化に伴う一人暮らし世帯の増加や、少子高齢化に伴う認知症患者の増加に伴い、水の止め忘れに気づかず予想外の水道代支出につながる可能性も高まっていることから水の止め忘れを防止する装置に関するニーズも大きくなっているものと思われる。【０００６】  光センサーを用いた自動水栓による手法以外で、後付により水の止め忘れを防止する技術について、例えば以下のような従来技術が存在する。【０００７】  すなわち引例１として、特開２００４−３１６３９９には、水道の蛇口付近にセンサーと吐水時間を測定するタイマー回路と、タイマー回路と連動する制御回路および、警報音を発する音響回路を一体として既設手動式給水栓の吐水口に取り付ける装置が示されているが蛇口に嵩のある器具が取り付けられることにより蛇口付近のスペースが減り扱いにくくなる問題や蛇口近くの設置による水濡れに起因した漏電問題発生の可能性が高いという欠点があった。
【先行技術文献】
【特許文献】
【０００８】
【特許文献１】特開２００４−３１６３９９号公報
【発明の概要】
【発明が解決しようとする課題】
【０００９】  解決しようとする課題は、レバーの傾きを検知する傾きセンサーに注目し、これを用いることで、レバー式水栓において水が流れているときのみ通電により発報させることで、水の止め忘れを防止する装置を提供する。
【課題を解決するための手段】
【００１０】  そのため本願発明では、シングルレバー式水栓のレバー部に設けられた前記レバー部の傾きを検知する傾きセンサーと、前記レバー部が傾けられることにより前記傾きセンサーがＯＮとなることで水を吐出している間は通電し発報しつづける一方、レバーを元に戻し水を止めるとＯＦＦとなり通電が止まることで、発報が止まるよう制御を行う。
【発明の効果】
【００１１】  本発明の水止め忘れ防止装置は、水を出している間、発報し続けるため、水の止め忘れを防止することができる。
【図面の簡単な説明】
【００１２】
【図１】図１は水銀式傾きセンサー、電池、発報部（スピーカー）、発報部（ＬＥＤ）を接続したうえで容器に入れ、吸盤を介してシングルレバー式水栓上部に取り付けた図である。
【図２】図２はシングルレバー式水栓のレバーを傾けることで、水銀式傾きセンサーがＯＮとなり通電し発報している状況の図である。
【発明を実施するための形態】
【００１３】  以下、本発明を実施するための形態について説明する。
水銀式傾きセンサー、電池、発報部（スピーカー）、発報部（ＬＥＤ）を接続したのち容器に入れる。次に、容器裏面に接着剤で吸盤を付け、吸盤側をシングルレバー式水栓のレバー上部に吸着させ固定する。その際、水銀式傾きセンサーは水を止めている際にはＯＦＦで、水を流すためレバーを傾けた際にＯＮとなるよう容器の中における水銀式傾きセンサーの傾き角度を調整しておく。
【００１４】  なお、傾きセンサーの種類は、水銀式傾きセンサーだけでなく、傾きが検知できる傾きセンサーであれば良い。
【００１５】  図１は、水を止めている際の図である。また、図２はレバーを傾け、水を流している際の図である。
【００１６】  図２により、水を流している間は水銀式傾きセンサーがＯＮとなり通電するため、音と光が発生し発報することで水の止め忘れを防止することができる。
【００１７】  なお、発報部から出る音や光が小さい場合には、適宜出力の大きなものに変えることで調整が可能である。
【００１８】  尚、本発明においては、前記具体的実施形態に示すものに限らず、目的、用途に応じて本発明の範囲で種々変更した実施形態とすることができる。
【産業上の利用可能性】
【００１９】  本願発明による、水止め忘れ防止装置は既存のシングルレバー式水栓に後付けで設置することができ、止め忘れによる水の浪費を減らすことができる。
【符号の説明】
【００２０】１    電池
２    水銀式傾きセンサー
３    水銀
４    発報部（ＬＥＤ）
５    発報部（スピーカー）
６    容器
７    シングルレバー式水栓のレバー
８    蛇口
９    吸盤
１０  水
【図１】
2018062838.tif 000003
【図２】
2018062838.tif 000004
(57)【要約】【課題】  従来の土壁は竹を細かくさいて縄等で竹に巻き付けるために、時間と手間がかかりすぎ、又、筋交いを入れなかったので壁自体に強度がなかった。昔ながらの土壁造りは、今の家造りにおいて敬遠されがちである。それは工期が長いためコストが高くつくのが原因だろう。しかしながら土壁造りの家は、自然の素材であるため、人が住むのに健康によいことは昔から言われている。又、土壁の土は燃えにくく火災に強い。本発明はそれらの良い特長を最大限に追求した独特の壁の芯材であるため  エア工具を使って、早く確実に組み立てることができる。その上筋交いも使用でき  強い壁になる。  今の生活には電気は欠かせない。それを考慮して、本発明はスイッチやコンセントボックスは井桁の中に入れるように考えた。【解決手段】  芯材で井桁に組み立てて、壁面を作り上げる。【選択図】  図２
2018028187.tif 000002
【特許請求の範囲】
【請求項１】
土壁を構成する縦の芯材と横の芯材を、相互に噛合わせることで強い井桁格子を作り、その井桁格子の中に壁土が絡みつきやすいように、井桁格子用の切り込み以外の複数の切り込みを加えて設けた土壁用の芯材。
【発明の詳細な説明】
【技術分野】
【０００１】
本発明は従来の竹組みの土壁に代わる強度を持った土壁用芯材である。               
【背景技術】
【０００２】
昔からの重要建築物には、大型の重要文化財が多く含まれている。これらを長く保存するためには、必要な時期に修理しなければならない。それが元の姿に戻れば良いというものではない。以前よりも強い壁にすることが目的であり、本発明
では大きな筋交いや間柱を使用して土壁が出来る工法である。
【先行技術文献】
【特許文献】
【０００３】
【特許文献１】特開２０１５−０４０４０４号公報
【発明の概要】
【発明が解決しようとする課題】
【０００４】
木造建築物は木材の腐りで建物の傷みが心配されるが、それよりも火災で一気に消滅することが一番心配である。本発明の土壁工法の、土の厚さがあれば木造であっても燃えにくい構造である。
【０００５】
木造の文化財や、寺、神社等は柱が大きく、又壁も厚い。本発明は、芯材を二重に重ねることで対応する。（図１）
【０００６】
従来の土壁は、ほとんどが手仕事で行うために時間がかかる上、筋交いを使用しにくいために建物の強度が十分ではなかった。本発明は筋交いも間柱も自由に使え、芯材を駆体に取り付けるときはエア工具を使用して仕事が早くて確実である。
【０００７】
前にも述べたように芯材を二重に重ねることが出来るということは三重にも四重にも重ねることができるということであり、大きな建造物にも対応できること
を意味している。
【課題を解決するための手段】
【０００８】
従来の竹を使った土壁工法は良い面はあるが進歩が見受けられない。本発明は工法において色々と柔軟性がある。片面からメタルラスをエア工具で取り付けることができ、また、芯材を適宜切り込むことで壁土との絡みを良くできる。
【発明の効果】
【０００９】
芯材を井桁に組み立てて、壁土を詰め込む工程は左官業で言えば下塗りにあたる
が、その井桁組み立てには強度が必要である。そして、その強度こそが地震や火災にも耐えうることができる要因である。中塗り、上塗りの漆喰壁は、日本では千年以上の歴史がある。これは、住宅内に化学物質を使用しないという点で優れており、本発明もこの伝統を活かして健康住宅を作るという目的に寄与するものである。
【図面の簡単な説明】
【００１０】
【図１】芯材を二重に重ねて厚壁に対応した平面図
【図２】芯材に切り込みを増した見取り図
【図３】真壁を示した平面図
【図４】大壁を示した平面図
【発明を実施するための形態】
【００１１】
木造建築は、布基礎が出来上がったところで上棟式（棟上げ）を行う。そして、サッシなどを取り付けるために開口部を木で作る。そして、ここから本発明の芯材を使い、土壁作りの一歩が始まる。
【００１２】
周りの木部、柱３、間柱５、土台などに高圧エア釘打ち機で釘19を打ち込み、より強固に固定する。
【００１３】
電線ケーブルやスイッチ・コンセントの金具は壁土21を詰め込む前に取り付けておく。
【００１４】
縦の芯材６に切りカギＡを設け、また、横の芯材６には切りカギＢを設けて双方が噛みあうことで井桁を作っていく。その上土壁が井桁によくなじむように切りカギＣを芯材６に追加した。
【産業上の利用可能性】
【００１５】
現在作られている家では、40〜50年住めば新しく建て替えることが常識となっているような感があるが、これでは資源の無駄づかいであり、150年以上家に住み続けるために土壁工法を用いることに大きな意義があると考える。
【００１６】
古い神社や寺の修復には、腕のよい職人が少なく、また、従来の土壁工法では、壁自体に強度が少ないために修復がむずかしい。
【符号の説明】
【００１７】
３．柱
４．筋交い
５．間柱
６．芯材
８．胴縁
９．壁板、
10．サイデング
22．メタルラス
【図１】
2018028187.tif 000003
【図２】
2018028187.tif 000004
【図３】
2018028187.tif 000005
【図４】
2018028187.tif 000006
(57)【要約】      （修正有）【課題】世界で始めて実用可能な核融合炉を提供する。【解決手段】ピンホールから半円球の焦点内に入いってくる重水素に真上からイオンレーザーを当てて核融合炉を動作させる。【選択図】図１
2018028525.tif 000002
【特許請求の範囲】
【発明の詳細な説明】
2018028525.tif 000003
2018028525.tif 000004
【手続補正書】
【提出日】平成28年12月1日(2016.12.1)
【手続補正３】
【補正対象書類名】特許請求の範囲
【補正対象項目名】全文
【補正方法】変更
【補正の内容】
【特許請求の範囲】
【請求項１】
立面図▲７▼のピンホールから半円球の焦点内に入いってくる重水素に真上からイオンレーザーを当てて核融合炉を動作させる。
【手続補正５】
【補正対象書類名】明細書
【補正対象項目名】全文
【補正方法】変更
【補正の内容】
【発明の詳細な説明】
【０００１】世界で始めて実用化可能な核融合炉
2018028525.tif 000005
【図面の簡単な説明】
【図１】立面図
【図２】平面図
【手続補正６】
【補正対象書類名】図面
【補正対象項目名】全図
【補正方法】追加
【補正の内容】
【図１】
2018028525.tif 000006
【図２】
2018028525.tif 000007
(57)【要約】【課題】  本発明は、レジスターが各種消費税率の変更に即、対応できない。【解決手段】上記目的を達成する為にＰＣを利用し、プリンターとお金の収納箱、ハンディターミナルと付属の補助装置、金額表示板、ソフト、ｌａｎ無線装置、セキュリティを備えたものである。アプリケーションソフトについて、１つは通常の入金・釣銭のソフト、もう１つは消費税の変更ソフト、混在した各消費税の設定ソフト、新消費税追加の設定ソフトを配置する構成としたものである。ハンディターミナルでバーコードを読み取り、ＰＣ上で自動で適切な消費税を選択する。【選択図】図１
2018028885.tif 000002
【特許請求の範囲】
【請求項１】
本発明はＰＣ、プリンターとお金の収納箱、ハンディターミナルと付属の補助装置、金額表示板、ソフト、ｌａｎ無線装置、セキュリティを備えたものである。アプリケーションソフトについて、１つは通常の入金・釣銭のソフト、もう１つは消費税の変更ソフト、混在した各消費税の設定ソフト、新消費税追加の設定ソフトを配置する構成としたものである。
【請求項２】
ハンディターミナルでバーコードを読み取り、ＰＣ上で自動で適切な消費税を選択する。上述したように本発明のレジシステムは、全ての消費税の変更にＰＣ画面のクリック操作で設定変更できる。ハンディターミナルでバーコードを読み取り、ＰＣ上で自動で適切な消費税を選択し、税込価格を決定する。
【発明の詳細な説明】
【技術分野】
【０００１】本発明は、リテーラー（小売店・卸売店）のＰＣ化を図ったレジスターに関する。
【背景技術】
【０００２】状来の商店のレジスターには、オンラインで各支店と本店を結ぶシステムがあります。
消費税の対応も機器を新しく買い換えることなく対応可能のものもある。
また、お客さんがセルフで購入した商品を支払う自動レジスターもある。
【発明の概要】
【発明が解決しようとする課題】
【０００３】以上に述べた従来のレジスターでは、・・・消費税の変更、又は混在により設定を全小売店の各レジスターのホスト機器装置の税率設定変更に、多くの時間と手間および多くの出費がかかる。【０００４】本発明は、このような従来の構成が有していた問題を解決しようとするものであり、各種消費税率の変更に即、対応できるレジスターを実現することを目的とするものである。
【課題を解決するための手段】
【０００５】そして、本発明は上記目的を達成する為にＰＣを利用し、プリンターとお金の収納箱、ハンディターミナルと付属の補助装置、金額表示板、ソフト、ｌａｎ無線装置、セキュリティを備えたものである。アプリケーションソフトについて、１つは通常の入金・釣銭のソフト、もう１つは消費税の変更ソフト、混在した各消費税の設定ソフト、新消費税追加の設定ソフトを配置する構成としたものである。
ハンディターミナルでバーコードを読み取り、ＰＣ上で自動で適切な消費税を選択する。
【発明の効果】
【０００６】上述したように本発明のレジシステムは、全ての消費税の変更にＰＣ画面のクリック操作で設定変更できる。ハンディターミナルでバーコードを読み取り、ＰＣ上で自動で適切な消費税を選択し、税込価格を決定する。【０００７】また、ｌａｎ無線によりＰＣ本体はお店の雰囲気を壊すことのないように、見えない奥へ設置可能。レジ部はお店に合わせることが可能。【０００８】要求により、さまざまな資料プリントアウトできる。【０００９】価格も、中古のＰＣを利用することで低価格のレジスターから付加価値を附けた高価格のものまで多岐にわたるレジスターの設定が可能。【００１０】  国際標準で各レジスター会社が製造すれば、同じ基準で造ることにより、将来Ｏｎ  ＬｉｎｅでＨｏｓｔＰＣに繋げれば一元管理が可能。誤魔化しも防ぐことができる。
【図面の簡単な説明】
【００１１】
【図１】レジスター本体図
【発明を実施する為の形態】
【００１２】  ＰＣ本体は奥に設置。レジ機能部のレシート発行プリンタ。お金収納。
【図１】
2018028885.tif 000003
(57)【要約】【課題】電線の損傷を抑えつつ、水の貯留を抑えることができるワイヤーハーネスを提供する。【解決手段】ワイヤーハーネス１０は、複数の電線１１ａからなる電線部１１と、電線部１１の外周を覆うとともに多孔質金属材料で構成される外装部１２と、を備える。外装部１２は、シート状の多孔質金属材料を巻回することで電線部１１の外周を覆うように構成される。【選択図】図２
2018028992.tif 000002
【特許請求の範囲】
【請求項１】
１又は複数の電線からなる電線部と、
前記電線部の外周を覆うとともに多孔質金属材料で構成される外装部と、
を備えたことを特徴とするワイヤーハーネス。
【請求項２】
請求項１に記載のワイヤーハーネスにおいて、
前記外装部は、巻回された状態で前記電線部の外周を覆うことを特徴とするワイヤーハーネス。
【発明の詳細な説明】
【技術分野】
【０００１】
本発明は、ワイヤーハーネスに関する。
【背景技術】
【０００２】
従来、例えば自動車の内部に配索するワイヤーハーネスは、テープで荒巻した状態の電線束をコルゲートチューブ等の外装材で外装することで、電線束が他部材と干渉して損傷を受けるのを抑えるようになっている（例えば特許文献１の図７参照）。
【０００３】
このようなワイヤーハーネスではコルゲートチューブの長手方向にスリット（割溝）が設けられていため、コルゲートチューブを電線束に取り付けやすくなっている。
【先行技術文献】
【特許文献】
【０００４】
【特許文献１】特開平１０−２４８１３７号公報
【発明の概要】
【発明が解決しようとする課題】
【０００５】
ところで、上記のようなワイヤーハーネスでは、外装部であるコルゲートチューブにスリットを設けているため、例えばスリットから電線がはみ出して損傷を受けないようにコルゲートチューブの外周にテープをハーフラップ巻きする作業が必要となっている。
【０００６】
このようにハーフラップ巻きを行うことで、一度コルゲートチューブ等の外装部内に水が浸入すると、排水することが難しく内部に貯留する虞がある。
本発明は、上記課題を解決するためになされたものであって、その目的は、電線の損傷を抑えつつ、水の貯留を抑えることができるワイヤーハーネスを提供することにある。
【課題を解決するための手段】
【０００７】
上記課題を解決するワイヤーハーネスは、１又は複数の電線からなる電線部と、前記電線部の外周を覆うとともに多孔質金属材料で構成される外装部と、を備える。
この構成によれば、小さな孔を有する多孔質金属材料で構成される外装部によって電線部が覆われるため、外装部内に水が浸入しても多孔質金属材料が有する孔から気化しやすいため、水の貯留を抑えることができる。また、外装部は金属材料であるため、電線（電線束）が露出して他部材と干渉して電線が損傷するといったことを抑えることができる。
【０００８】
上記ワイヤーハーネスにおいて、前記外装部は、巻回された状態で前記電線部の外周を覆うことが好ましい。
この構成によれば、外装部は巻回されることにより電線部の外周を覆う構成であるため、外装部を筒状とした場合と比較して容易に取り付けることができる。
【発明の効果】
【０００９】
本発明のワイヤーハーネスによれば、電線の損傷を抑えつつ、水の貯留を抑えることができる。
【図面の簡単な説明】
【００１０】
【図１】一実施形態におけるワイヤーハーネスの概略構成図。
【図２】同上におけるワイヤーハーネスの端面図。
【発明を実施するための形態】
【００１１】
以下、ワイヤーハーネスの一実施形態について説明する。
図１に示すように、本実施形態のワイヤーハーネス１０は、複数の電線１１ａからなる電線部としての電線束１１と、電線束１１を覆う外装部１２とを有する。
【００１２】
図２に示すように、電線束１１を構成する複数の電線１１ａは、それぞれ径が小さい銅線の束である芯線１１ｂを例えばポリ塩化ビニル（ＰＶＣ）などによりなる絶縁体１１ｃで被覆して構成される。なお、芯線１１ｂは、径が大きい１本の銅線で構成してもよい。また芯線１１ｂは、銅線に限らず例えばアルミニウム線であってもよい。
【００１３】
図１及び図２に示すように外装部１２は、シート状の多孔質材料を電線束１１の外周を覆うようにすし巻き状に巻回して構成される。外装部１２は、その厚みが例えば０．１ｍｍ以下で、銅（ＣＵ）系金属又はステンレス（ＳＵＳ）系金属から構成される。ここで多孔質金属材料について説明する。多孔質金属材料は、微細な気孔が無数にあいた金属材料であり、例えば多孔質樹脂材料と比較して耐久性や耐熱性の面で優れている。
【００１４】
次に、ワイヤーハーネス１０の作用を説明する。
本実施形態のワイヤーハーネス１０は、複数の電線１１ａからなる電線束１１の外周を多孔質金属材料からなるシート状の外装部１２によって覆っている。このため、電線１１ａ（電線束１１）が他部材と直接干渉して電線１１ａが損傷することが抑えられるようになっている。また、外装部１２は、多数の気孔を有する多孔質金属材料で構成されるため、各孔による表面張力によって水を吸収するとともに、その孔に空気が触れやすい状態であるため、水を気化しやすい。特に車両走行中の風を受けることでより水を気化しやすくなっている。
【００１５】
次に、本実施形態の効果を記載する。
（１）小さな孔を有する多孔質金属材料で構成される外装部１２によって電線束１１が覆われるため、外装部１２内に水が浸入しても多孔質金属材料が有する孔から外部に排水することができる。また、外装部１２は金属材料であるため、電線１１ａ（電線束１１）が露出して他部材と干渉して電線束１１が損傷するといったことを抑えることができる。
【００１６】
（２）外装部１２は巻回されることにより電線束１１の外周を覆う構成であるため、外装部１２を筒状とした場合と比較して容易に取り付けることができる。
なお、上記実施形態は、以下のように変更してもよい。
【００１７】
・上記実施形態では、外装部１２をシート状の多孔質金属材料で構成したが、筒状の多孔質金属材料で構成してもよい。この場合、外装部１２を電線束１１に対して外挿することとなる。
【００１８】
・上記実施形態では、電線部を複数の電線１１ａで構成したが、１つの電線１１ａによって電線部を構成してもよい。
・上記実施形態では、外装部１２の厚みを０．１ｍｍ以下としたが、これに限らない。例えば電線束１１に対して特段の弊害無く巻装できる構成であれば、０．１ｍｍよりも厚い構成を採用してもよい。
【００１９】
・上記実施形態では、銅（ＣＵ）系金属又はステンレス（ＳＵＳ）系金属の多孔質金属材料で外装部１２を構成したが、これ以外の金属であってもよい。
・上記実施形態並びに各変形例は適宜組み合わせてもよい。
【符号の説明】
【００２０】
１０…ワイヤーハーネス、１１…電線部としての電線束、１１ａ…電線、１２…外装部。
【図１】
2018028992.tif 000003
【図２】
2018028992.tif 000004
(57)【要約】      （修正有）【課題】開口形状が、ペットやキャラクター形状で最小限の大きさで、単純な構造のペット用の開口及び扉の提供。【解決手段】ベースパネル「ａ」にペットやキャラクター形状の開口「ｂ」を設け、耳相当の部分の開口内部側面に扉回転軸「ｄ」を差し込む。ベースパネルの開口「b」と同形状の扉「ｃ」の回転軸用の溝に合わせてペースパネルから出ている回転軸ピン「ｄ」を入れ、着脱式蓋「ｅ」をボルトナット等「ｆ」で固定する。ベースパネル「ａ」は、設置する条件に合わせて厚みと開口「ｂ」の大きさを変えて作成することで、ドア、引き戸、壁など、さまざまな設置条件に対応する。【選択図】図１
2018028253.tif 000002
【特許請求の範囲】
【請求項１】
ペットやキャラクター形状の開口と扉で構成し、ペットやキャラクターの耳に相当する部分を回転軸とし、扉の開閉を可能にしている。本発明を、ドア、引き戸、壁などに設置することで、家の中や家と外部などをペットが自由に行きすることができるようになり、ペットが通った後は自然に扉が閉まる。機能と意匠性の高い扉を備えたペット用出入口である。
【発明の詳細な説明】
【技術分野】
【０００１】
本発明は、ペットが家の中や家と外などを自由に行き来する為の開口と扉に関するものである。
【背景技術】
【０００２】
従来のペットが行き来するための開口と扉は、無駄に大きな四角形であった。
（例えば特許文献１参照）
【先行技術文献】
【特許文献】
【０００３】
【特許文献１】E06B  7/32
【発明の概要】
【発明が解決しようとする課題】
【０００４】
従来のペット用扉は、無駄に大きかった。
【０００５】
従来のペット用扉は、武骨で意匠性が低かった。
【０００６】
従来のペット用扉は、複雑な構造で、開閉時の音が大きかった。
【課題を解決するための手段】
【０００７】
開口部と回転軸と扉のそれぞれ独立した単純な構造とした。ペットやキャラクター形状の開口と扉で構成し、扉上の耳内側に相当する三角形の部分を着脱式とすることで回転軸と扉自体の交換及び保守が容易に出来るようにしている。耳形状をした上方突起部分に回転軸を設けることにより、扉の重心が下方になり、さらに扉の厚み中心部分を軸芯とすることで、振り子が真下で停止するように、ペットが通った後は、特別な仕掛けがなくても、重力により自然に扉が閉まった状態に戻る。
【発明の効果】
【０００８】
ペットやキャラクター形状の開口とするため、最小限の大きさの扉にできる。
【０００９】
ペットやキャラクターの耳に相当する部分を扉の回転軸とするため、ペットが行き来する機能に対して、違和感のない意匠が可能となる。
【００１０】
開口部と回転軸と扉のそれぞれ独立した単純な構造であるため、丈夫であり、さらに扉や回転軸の交換が容易にできる。
【００１１】
ベースパネルの厚みを変えることで、ドア、引き戸、壁など、さまざまな設置条件に対応することができる。
【図面の簡単な説明】
【００１２】
【図１】発明の一実施例の正面図である。
【図２】図１で示すＡ切断位置の断面図である。
【図３】図２中のＢ部分の拡大図である。
【図４】本発明を引き戸に設置した場合の一実例斜図である。
【発明を実施するための形態】
【００１３】
開口部「ｂ」と回転軸「ｄ」と扉「ｃ」のそれぞれ独立した単純な構造とした。扉上の耳内側に相当する三角形の部分「e」を着脱式とすることで回転軸「ｄ」と扉「ｃ」の交換が容易に出来るようにした。ペットやキャラクター形状の開口「b」と扉「c」で構成した意匠とし、殆どのペットやキャラクターが有する耳相当の部分である上方突起部分に回転軸「ｄ」を設け、さらに扉の厚み中心部分を回転軸芯とすることでペットが通った後の扉は、特別な仕掛けがなくても、重力により自然に閉まった状態に戻る。本発明を使用したい箇所に合わせた厚みと大きさで作成することで、ドア、引き戸、壁など、さまざまな設置条件に対応する。ペットが行き来できる機能性と意匠性・保守性・静音性を兼ね備えたペット用の扉とする。
【実施例１】
【００１４】
ベースパネル「ａ」にペット及びキャラクター形状の開口「ｂ」を設け、耳相当の部分の開口内部側面に扉回転軸（ピン）「ｄ」を差し込む。開口「b」に合わせた形状の扉「ｃ」の回転軸用の溝にペースパネルから出ている回転軸（ピン）「ｄ」を入れ、着脱式蓋「ｅ」をボルトナット等「ｆ」で固定する。ベースパネル「ａ」は、設置する条件に合わせて厚み「ｇ」及び大きさを変えて作成することで、ドア、引き戸、壁など、さまざまな設置条件に対応する。
【符号の説明】
【００１５】
a    ベースパネル（ベースとなるパネル）
b    ベースパネルに開いた開口部輪郭（ペットやキャラクターの形状）
c    ペット用の扉（フラップ）
d    回転軸を格納するための穴及び溝及び回転軸（ピン）
e    回転軸を固定するための着脱式の蓋。
f    ｅ（蓋）を止めるためのボルトナット
g    ベースパネルの厚み
h    扉が稼働するライン
i    設置例の1つとして想定される引き戸      
【図１】
2018028253.tif 000003
【図２】
2018028253.tif 000004
【図３】
2018028253.tif 000005
【図４】
2018028253.tif 000006
(57)【要約】【課題】物置としての用途だけでなく、物置の用途以外に使用可能にすると共に、安全性や実用性の向上を図り地震災害時には仮設住宅として利用できる耐震物置シェルターを提供する。【解決手段】耐震補強された建物１１とコンクリート基礎１２で構成された耐震物置シェルター１０があり、物置内の２１は折りたたみ式ベッドで２４は簡易トイレ設置用の目隠し脱着パネルで２５は災害時用の毛布を収納できる天井収納棚が設けられている。【選択図】図１
2018028251.tif 000002
【特許請求の範囲】
【請求項１】
建物の構造は軽量鉄骨造と木造だけに限定せず、日本の建築基準法の耐震基準値以上に補強された建物とコンクリート基礎で構成された物置であって、この物置を仮設住宅として利用することを特徴とする耐震物置シェルター。
【請求項２】
前記物置内部には、折りたたみ式ベッドが設けられている請求項１に記載の耐震物置シェルター。
【請求項３】
前記物置内部には、建物外壁に取付けることができる簡易トイレ設置用の目隠し脱着パネルが設けられている請求項１〜２に記載の耐震物置シェルター。
【請求項４】
前記物置内部には、災害時用の毛布を収納できる天井収納棚が設けられている請求項１〜３に記載の耐震物置シェルター。
【発明の詳細な説明】
【技術分野】
【０００１】本考案は、住宅の敷地内に独立して設置される物置に関し、特に耐震補強した物置内部に仮設住宅の設備を備え付けた耐震物置シェルターに関する。
【背景技術】
【０００２】従来、住宅の敷地内に設置される物置は軽量鉄骨造や木造の物置が多く、一般的に自動車の冬タイヤの保管や、頻繁に使用しない品物が収納されている。
【発明の概要】
【発明が解決しようとする課題】
【０００３】しかしながら、従来の物置は地震災害により住宅が使用できなくなったからといって仮設住宅として利用することはできず、車の中での就寝や避難場でのプライバシーのない生活をしなくてはならないという問題があった。【０００４】一方、車の中での就寝ではプライバシーは守られるが、エコノミー症候群といった死に至る病気になる可能性があるという問題があった。【０００５】本考案は、上記した課題を解決すべくなされたものであり、物置の用途だけでなく物置の用途以外にも物置の中身を外部に出すことで簡単に一室として使用できると共に、耐震補強建物であるので、安全な仮設住宅として使用することができる耐震物置シェルターを提供することを目的とするものである。
【課題を解決するための手段】
【０００６】上記した目的を達成するため、本考案は耐震補強した物置の中に折りたたみ式ベッドや簡易トイレ設置用の目隠し脱着パネルなどの仮設住宅として必要な設備を備え付けた物置であることを特徴とする。【０００７】そして、本考案に係る耐震物置シェルターにおいて、丁番により折りたたみできるベッドを設けられていることが好ましい。【０００８】また、本考案に係る耐震物置シェルターにおいて、簡易トイレ設置用の目隠し脱着パネルを設けられているのが好ましい。【０００９】さらに、本考案に係る耐震物置シェルターにおいて、災害時用の毛布を収納できる天井収納棚が設けられているのが好ましい。
【発明の効果】
【００１０】本考案によれば、物置の用途だけではなく物置の用途以外にも簡単に使用できると共に、地震災害時の仮設住宅として、日本の建築基準法の耐震基準値以上に補強された物置内部に折りたたみ式ベッド等が設けられており、プライバシーの確保ができる安全な仮設住宅の役割を果たすことができる。
【図面の簡単な説明】
【００１１】
【図１】本考案の実施の形態に係る耐震物置シェルターを示す平面図である。
【図２】本考案の実施の形態に係る耐震物置シェルターを示す正面からの立面図である。
【図３】本考案の実施の形態に係る耐震物置シェルターを仮設住宅として使用した状態を示す平面図である。
【図４】本考案の実施の形態に係る耐震物置シェルターを仮設住宅として使用した状態を示す正面からの立面図である。
【発明を実施するための形態】
【００１２】以下、図面を参照しつつ、本考案の耐震物置シェルター、及び耐震物置シェルター内部に設けられた設備について例示説明する。
【実施例１】
【００１３】本考案の実施の形態に係る耐震物置シェルター１０は、日本の建築基準法の耐震基準値以上に補強された物置で、建物内部に折りたたみ式ベッド２１と簡易トイレ設置用の目隠し脱着パネル２４が備えてあり、それぞれ内壁部に固定できるように構成されている他に、災害時用の毛布が収納できる天井収納棚２５が設けられている。【００１４】１０の物置内部には折りたたみ式ベッド２１が、丁番２３及びベッド用固定金具２７により壁面に固定されている。【００１５】１０の物置内部には簡易トイレ設置用の目隠し脱着パネル２４が、脱着パネル用固定金具２８により壁面に固定されている。【００１６】１０の物置内部の天井部には災害時用の毛布を収納できる天井収納棚２５が設けられている。【００１７】折りたたみ式ベッド２１を使用する場合は、ベッド本体に取付けている２本の折りたたみ式の脚２２をセットし、ベッド用固定金具２７を外して手前に倒し設置する。【００１８】簡易トイレ設置用の目隠し脱着パネル２４を使用する場合は、脱着パネル用固定金具２８を外して耐震物置シェルター１０の外壁部分に脱着パネル用Ａ外壁固定金具２９と脱着パネル用Ｂ外壁固定金具３０で取付け固定する。【００１９】折りたたみ式ベッド２１と簡易トイレ設置用の目隠し脱着パネル２４を元の場所に戻す場合には、上記手順と反対の手順で行う。【００２０】このように上記した本考案の実施形態に係る耐震物置シェルター１０により、物置の用途以外に仮設住宅として変えることが簡単に行えるため汎用性を高めることができる。【００２１】また、耐震物置シェルター１０を本来の用途に使用した場合でも物を十分に収納でき、本来の物置としての機能を損なうことはなく、仮設住宅用の設備の格納スペースを必要最小限に抑制することができる。【００２２】なお、上記した形態における耐震物置シェルター１０の構造や設置方法は単なる例示にすぎず、本発明は権利範囲を限定するものと解釈されることを意図するものではない。
【産業上の利用可能性】
【００２３】物置としての役割を持つ車庫や倉庫などの建物にも適用することができる。
【符号の説明】
【００２４】１０  耐震物置シェルター
１１  耐震補強建物
１２  コンクリート基礎
１３  ドア
１４  引き戸
２１  折りたたみ式ベッド
２２  折りたたみ式の脚
２３  丁番
２４  目隠し脱着パネル
２４ａ  目隠し脱着パネルの使用時
２５  天井収納棚
２６  簡易トイレ（移動設置式）
２７  ベッド用固定金具
２８  脱着パネル用固定金具
２９  脱着パネル用Ａ外壁固定金具
３０  脱着パネル用Ｂ外壁固定金具
【図１】
2018028251.tif 000003
【図２】
2018028251.tif 000004
【図３】
2018028251.tif 000005
【図４】
2018028251.tif 000006
(57)【要約】【課題】簡単に皮膚にマーキングすることができ、かつ消去も簡単に行えるボディマーカーを提供する。【解決手段】所望のデザインに形成されている平坦な表示部材１ａを皮膚接着剤１ｂを介して人体の皮膚３に接着させてボディマーカー１とする。表示部材１ａは、長い毛状物束５の根元に皮膚接着剤１ｂが一体的に設けられ、皮膚接着剤１ｂを皮膚３に接着した後毛状物束を短く刈り込んでこの表示部材１ａを形成する。【選択図】図１
2018060146.tif 000002
【特許請求の範囲】
【請求項１】
表示部材を皮膚接着剤を介して人体の皮膚に接着させてマーキングとすることを特徴とするボディマーカー。
【請求項２】
前記表示部材の裏面に前記皮膚接着剤を一体に設け、該皮膚接着剤を人体の皮膚に接着させることを特徴とするボディマーカー。
【請求項３】
長い毛状物束の根元に皮膚接着剤が一体的に設けられ、前記皮膚接着剤を皮膚に接着した後前記毛状物束を短く刈り込んで前記表示部材を形成したことを特徴とする請求項１または２記載のボディマーカー。
【請求項４】
前記表示部材は所望のデザインに形成されていることを特徴とする請求項１ないし３のいずれかに記載のボディマーカー
【請求項５】
前記表示部材は、紙または布製のテープで構成されていることを特徴とする請求項１記載のボディマーカー。
【発明の詳細な説明】
【技術分野】
【０００１】  本発明は、人体の皮膚にマークを付けるためのボディマーカーに関し、特に貼り付けによりボディに傷つけることなくマークをつけるようにしたボディマーカーに関する。
【背景技術】
【０００２】  従来、人体の皮膚に装飾模様などのマークを付ける方法として、入れ墨または入れ墨に似た模様をペイントなどにより描くなどの方法がとられている。
【発明が解決しようとする課題】
【０００３】  しかしながら、入れ墨は人体を傷つけるばかりでなく、公序良俗に反し、さらに、きれいに消去することは困難であるという問題があった。また、ペイントによる方法は、描くのに手間と費用がかかるとともに、簡単に消えてしまうという問題があった。
【０００４】  本発明は、上述の点に着目してなされたもので、簡単に皮膚にマーキングすることができ、かつ消去も簡単に行えるボディマーカーを提供することを目的とする。
【課題を解決するための手段】
【０００５】  本発明に係るボディマーカーは、表示部材を皮膚接着剤を介して人体の皮膚に接着させてマーキングとするものでる。
【０００６】  請求項２記載のボディマーカーは、前記表示部材の裏面に前記皮膚接着剤を一体に設け、該皮膚接着剤を人体の皮膚に接着させる
【０００７】  請求項３記載のボディマーカーは、長い毛状物束の根元に前記皮膚接着剤が一体的に設けられ、前記皮膚接着剤を皮膚に接着した後前記毛状物束を短く刈り込んで前記表示部材を形成したものでる。
【０００８】  請求項４記載のボディマーカーは、前記表示部材は所望のデザインに形成されているものでる。
【０００９】  請求項５記載のボディマーカーは、前記表示部材は、紙または布製のテープで構成されているものでる。
【発明の効果】
【００１０】  本発明によれば、簡単に皮膚に所望のデザインのマーキングを施すことができ、かつ消去も簡単に行うことができる。
【図面の簡単な説明】
【００１１】
【図１】ボディマーカーの製造工程の一例を示す側面図である。
【図２】完成したボディマーカーの実施の形態を示す側面図である。
【図３】図２の平面図である。
【図４】デザイン化したボディマーカーの平面図である。
【発明を実施するための形態】
【００１２】  以下、図面を参照して本発明の実施形態について詳細に説明する
図１は、ボディマーカーの製造工程を示す側面図、図２は完成したボディマーカーの側面図である。
【００１３】  図２に示すように、ボディマーカー１は、表示部材１ａと、この表示部材１ａの裏面に一体に設けられた皮膚接着剤１ｂとからなる。皮膚接着剤１ｂを人体の皮膚３にくっつけることにより、表示部材１ａが皮膚３上に表示され、ボディマーカー１となる。
【００１４】  図１にこのボディマーカー１の製造工程を示している。同図示すように、自然または人工の毛髪、あるいはこれらに類似する毛状物２をバンド４などで束ねた毛状物束５の根元に皮膚接着剤１ｂを一体に接着させたものを製作する。皮膚接着剤１ｂの裏面には剥離紙６が設けられている。
【００１５】  図１に示す毛状物束５を手に持ち、剥離紙６を除去して皮膚に皮膚接着剤を接着させた後、切断線Ａの箇所を切断すると図２に示すようなボディマーカーが完成する。
【００１６】  また、別の手段として、皮膚接着剤１ｂを毛状物束５には付けず、直接皮膚３に塗布し、その上に毛状物束５の根元を接着し、その後切断線Ａの箇所を切断するようにしてもよい。
【００１７】  図３は、この表示部材の平面図で、デザインを施していないそのままの状態を示している。この図の表示部材１ａを好みのデザインに加工した例を図４に示している。すなわち、図４（ａ）に示すように所望の文字、あるいは（ｂ）に示すような花模様、その他図示しない動物模様や抽象模様など好みのデザインに加工しておき、これを皮膚に貼り付ける。
【００１８】  皮膚接着剤１ｂとしては、かつら用接着剤として販売されているスーパーシリコン（商品名）が、撥水性と透湿性に優れるため好適であるが、そのほかの皮膚接着剤を使用してもよく、接着剤の材質は限定されない。
【００１９】  上記実施の形態では、毛状物束５を使用しているが、毛状物束５の代わりに布または紙製のテープの裏面に皮膚接着剤１ｂを付けておき、このテープを皮膚に貼り付けるようにしてもよい。この構成ではＡの箇所の切断が不要であるため、製作が簡単である。
【００２０】  以上のように、本発明では、入れ墨やボディペイントによらず、人体に傷つけることなく、ボディに所望のデザインのマーキングを簡単に付けることができ、また、簡単に取り換えることもできる。
【符号の説明】
【００２１】１    ボディマーカー
１ａ  表示部材
１ｂ  皮膚接着剤
３    皮膚
【図１】
2018060146.tif 000003
【図２】
2018060146.tif 000004
【図３】
2018060146.tif 000005
【図４】
2018060146.tif 000006